(57)【要約】【課題】監視対象を監視した結果に基づく通報を通報先に対して行う通報システムで、例えば従来と比べて幅広い通報を行う。【解決手段】画像撮像手段１２ａ〜１２ｄが監視対象１１ａ〜１１ｄを監視するための画像を撮像し、監視対象側の者１５ａ〜１５ｄにより携帯される携帯無線装置１４ａ〜１４ｄが通報を行うための通報信号を無線により送信し、通報信号無線受信手段１３ａ〜１３ｄが画像撮像手段により画像を撮像する範囲外の所定の範囲を通信可能領域に含んで携帯無線装置から無線により送信される通報信号を受信し、携帯無線装置通報制御手段１３ａ〜１３ｄが通報信号無線受信手段により携帯無線装置から受信される通報信号に基づいて通報先５、１４ａ〜１４ｄに対して通報を行う。【選択図】　　　図１
2004129007.tif 000002
【特許請求の範囲】
【請求項１】
監視対象を監視した結果に基づく通報を通報先に対して行う通報システムにおいて、
監視対象を監視するための画像を撮像する画像撮像手段と、
監視対象側の者により携帯されて、通報を行うための通報信号を無線により送信する機能を有する携帯無線装置と、
画像撮像手段により画像を撮像する範囲外の所定の範囲を通信可能領域に含んで携帯無線装置から無線により送信される通報信号を受信する通報信号無線受信手段と、
通報信号無線受信手段により携帯無線装置から受信される通報信号に基づいて通報先に対して通報を行う携帯無線装置通報制御手段と、
を備えたことを特徴とする通報システム。
【請求項２】
複数の領域のそれぞれの監視対象を監視した結果に基づく通報を通報先に対して行う通報システムにおいて、
それぞれの領域の監視対象側の者により携帯されて、通報を行うための通報信号を無線により送信する機能を有する携帯無線装置と、
それぞれの領域に対して設けられて、携帯無線装置から無線により送信される通報信号を受信する通報信号無線受信手段と、
いずれかの領域に設けられた通報信号無線受信手段により携帯無線装置から受信される通報信号に基づいて、当該領域とは異なる領域の者を通報先として通報を行う携帯無線装置通報制御手段と、
を備えたことを特徴とする通報システム。
【請求項３】
請求項２に記載の通報システムにおいて、
複数の領域のそれぞれは、同一の集合住宅に存するそれぞれの住宅の全部又は一部の領域であり、
携帯無線装置通報制御手段は、いずれかの住宅に設けられた通報信号無線受信手段により携帯無線装置から受信される通報信号に基づいて、当該住宅とは異なる住宅の監視対象側の者により携帯される携帯無線装置を通報先として通報を行う、
ことを特徴とする通報システム。
【発明の詳細な説明】
【０００１】
【発明の属する技術分野】
本発明は、監視対象を監視した結果に基づく通報を通報先に対して行う通報システムに関し、特に、例えば従来と比べて幅広い通報を行うことができる通報システムに関する。
【０００２】
【従来の技術】
例えば、独居老人や高齢者などの監視対象となる者の住居等に種々のセンサを設けて当該センサからの出力信号により当該監視対象となる者の異常を検知する技術や、異常の検知後に予め設定されている通報先に対して自動的に通報を行う技術が開示されている（例えば、特許文献１、２、３参照。）。
【０００３】
従来の監視カメラを用いる監視システムとして、集合住宅の玄関ドアを１台のカメラで撮影して不審者を検知した場合には監視側である住民（住人）の携帯電話に対してメールや画像配信により通報を行い、通報を受けた住民はカメラから配信されてきた画像を携帯電話の画面で直接確認して不審者であれば警察に通報等の対処を行うことが可能であるシステムがある。
【０００４】
また、監視側の者（監視者）が携帯電話によりメールの閲覧や画像の閲覧を行う場合には、セキュリティのためにパスワードが設けられ、監視者本人以外の人は携帯電話によりメールや画像を閲覧することができない。また、監視側の携帯電話から任意の時間に被監視側のカメラサーバへ接続してカメラ映像を閲覧することが可能であり、また、監視側の携帯電話から監視カメラの撮影角度を調整する等といった遠隔操作を行うことが可能である。このようなシステムは、例えば宅内における小さな子供やお年寄りを監視するシステム等への応用が可能である。
【０００５】
図５には、従来の監視通報システムの構成例を示してある。
同図に示した監視通報システムは、住宅７１の内部に備えられた監視カメラ８２及びカメラサーバ８３と、インターネット７２と、インターネット７２を介してカメラサーバ８３及びキャリアゲートウエイ７４と通信する携帯サーバ７３と、携帯電話機７５と無線により通信するキャリアゲートウエイ７４と、監視側の者（監視者）により携帯される携帯電話機（監視側携帯電話機）７５とから構成されている。
【０００６】
監視カメラ８２は、被監視側である各住宅７１のドア８１や或いは宅内などを監視するための画像を撮像する。
そして、監視カメラ８２及びカメラサーバ８３により不審者８４の侵入などの異常を検知した場合には、監視カメラ８２の検知システムが作動して、監視カメラ８２により撮像される画像を保存する処理を開始する。保存される画像は、一時的に、カメラサーバ８３に蓄積される。
【０００７】
すると、カメラサーバ８３は、蓄積された画像をインターネット７２を介して携帯サーバ７３へ送信（転送）する。これに応じて、携帯サーバ７３は、内部アプリケーションを起動して、受信した画像（転送された画像）を配信するためのメール（画像配信メール）或いは他のメールを作成して、作成した画像配信メール等をキャリアゲートウエイ７４を介して監視側携帯電話機７５に対して送信する。
【０００８】
この場合、監視側携帯電話機７５を携帯している監視者は、監視側携帯電話機７５に送信されてきた画像配信メール等を閲覧することができ、これにより、不審者などの異常事態が本当であった場合には警察へ通報するなどの対処を行う。
また、監視者は、好きな時間に、監視側携帯電話機７５からカメラサーバ８３へ接続して監視カメラ８２により撮像される画像を取得することなどが可能である。
【０００９】
図６には、上記図５に示したような監視通報システムにより行われる処理の手順の一例を示してある。
監視通報システムでは、例えば温度異常の検知や動体の検知などにより異常が発生したか否かを判定することを行い（ステップＳ１１）、異常が発生して監視カメラ８２の検知システムが作動した場合には（ステップＳ１２）、当該作動後に、カメラサーバ８３が起動して画像保存を開始する（ステップＳ１３）。
【００１０】
そして、カメラサーバ８３から携帯サーバ７３ヘ画像のデータを転送すると（ステップＳ１４）、携帯サーバ７３が内部アプリケーションを起動して画像配信メール等を作成して（ステップＳ１５）、当該携帯サーバ７３が監視側携帯電話機７５に対して画像配信メール等を送信する処理を開始して実行する（ステップＳ１６）。
【００１１】
【特許文献１】
特開平１１−３０６４７３号公報
【特許文献２】
特開２００２−１７５５８１号公報
【特許文献３】
特開平８−５７７号公報
【００１２】
【発明が解決しようとする課題】
しかしながら、従来の監視通報システムでは、例えば、センサなどに故障が生じたために或いは異常検出を行う設定値の範囲外であるために種々のセンサを備えた検知システムが作動しないような場合や、又は、センサを備えた監視カメラの撮影範囲外であるために監視カメラの検知システムが作動しないような場合には、監視対象となる者などに発生した異常を検知することや当該異常の通報を行うことができないといった不具合があった。
【００１３】
具体的には、例えば、上記図５に示したような従来の監視通報システムでは、住宅７１内を監視するシステムを構築した際には、温度異常の検知や動体の検知を行う検知システムを備えた監視カメラ８２及びカメラサーバ８３により監視が行われるが、その検知条件を満たさない限り監視側携帯電話機７５等への通報機能は作動しない。また、例えば監視者が監視業者ではなく一般の人であるような場合には、或いは、監視者が監視業者である場合においても状況によっては、監視者は監視側携帯電話機７５に配信されるメールや画像を常に当該監視側携帯電話機７５により見ているわけではない。
【００１４】
本発明は、このような従来の事情に鑑みなされたもので、監視対象を監視した結果に基づく通報を通報先に対して行うに際して、例えば従来と比べて幅広い通報を行うことができる通報システムを提供することを目的とする。
【００１５】
【課題を解決するための手段】
上記目的を達成するため、本発明に係る通報システム（以下で、説明の便宜上から、通報システムＡと言う）では、次のような構成により、監視対象を監視した結果に基づく通報を通報先に対して行う。
すなわち、画像撮像手段が監視対象を監視するための画像を撮像（撮影）する。また、監視対象側の者（監視対象者）により携帯される携帯無線装置が、通報を行うための通報信号を無線により送信する機能を有する。そして、通報信号無線受信手段が、画像撮像手段により画像を撮像する範囲（領域）外の所定の範囲を通信可能領域に含んで、携帯無線装置から無線により送信される通報信号を受信する。すると、携帯無線装置通報制御手段が、通報信号無線受信手段により携帯無線装置から受信された通報信号に基づいて、通報先に対して通報を行う。
【００１６】
従って、例えば画像が撮像される範囲外の所定の範囲に監視対象者が存するために、当該監視対象者により携帯される携帯無線装置が、画像が撮像される範囲外の所定の範囲に存する場合においても、当該携帯無線装置から通報信号が無線送信された場合には、当該通報信号に基づいて通報先に対して通報が行われるため、例えば従来と比べて幅広い通報を行うことができ、これにより、例えば、監視対象者の安全性を高めることなどができる。
【００１７】
ここで、監視対象としては、種々なものであってもよく、例えば、住宅などの建物の内側や外側などの領域であってもよく、或いは、住宅に住む住民などの人であってもよい。
また、監視対象側の者（監視対象者）としては、種々な者であってもよく、例えば、住宅に住む住民などであってもよい。
なお、監視対象者が監視対象であってもよく、例えば、老人や、子供や、病人や、或いは住民などが監視対象及び監視対象者であってもよい。
【００１８】
また、監視対象を監視した結果に基づく通報としては、種々な時期に行われてもよく、例えば、当該通報を常時に行う態様や、当該通報を定期的に行う態様や、当該通報を異常が発生した時にのみ行う態様などを用いることができる。
また、監視対象の異常としては、種々なものが検出されてもよく、例えば、住宅などについては不審者の侵入や火災の発生などが検出されてもよく、また、人や物については状態の変化や事故の発生などが検出されてもよい。
【００１９】
また、監視対象を監視した結果に基づく通報としては、種々な情報を用いて行われてもよく、例えば、監視対象を監視するために撮像した画像の情報を用いることができ、或いは、他の情報が用いられてもよい。なお、例えば、画像撮像手段以外に、監視を行うための他の種々な情報を検出する手段や、種々な異常を検出する手段が備えられて用いられてもよい。
また、通報先としては、種々なものが用いられてもよく、例えば、監視対象者の親族や知人などの関係者や、監視業者や、病院や警察署や消防署などを用いることができる。
【００２０】
また、通報先において通報を受信する装置としては、種々な装置が用いられてもよく、例えば、所定の場所に固定的に設置される通信装置を用いることや、或いは、移動されることが可能な携帯型の無線通信装置を用いることなどができる。
また、通報先の数としては、１つであってもよく、或いは、複数であってもよい。また、複数の通報先が用いられる場合には、例えば、全ての通報先に対して同じ通報が行われてもよく、或いは、各通報先毎に予め設定された異なる態様で通報が行われてもよい。
【００２１】
また、画像撮像手段としては、種々なものが用いられてもよく、例えば画像を撮像するカメラを用いて構成することができる。
また、監視対象を監視するための画像としては、例えば、監視対象となる住宅など或いは監視対象となる者が住む住宅などについて、このような住宅などの内部の全ての領域或いは一部の領域を撮像対象として撮像される画像や、又は、監視対象となる者を撮像対象として撮像される画像などを用いることができる。
【００２２】
また、画像としては、種々な画像が用いられてもよく、例えば、動画像が用いられてもよく、或いは、静止画像が用いられてもよい。
また、画像撮像手段は、一構成例として、撮像した画像に基づいて温度の変化を検出して当該検出結果に基づいて温度に関する異常が発生したことを検出する手段や、撮像した画像に基づいて動体の動きを検出して当該検出結果に基づいて動体に関する異常が発生したことを検出する手段を有する。
なお、温度変化の検出によると例えば火災の発生などを検出することができ、また、動体の動きの検出によると例えば不審者の侵入などを検出することができる。
【００２３】
また、携帯無線装置は、監視対象者により携帯されるが、必ずしも常時に監視対象者により携帯されなくともよく、例えば時間帯や状況などによって携帯されるときと携帯されないときがあっても構わない。
また、通報を行うための通報信号としては、種々な信号が用いられてもよく、例えば通報の内容に応じて複数種類の通報信号が用いられてもよい。
【００２４】
また、画像撮像手段により画像を撮像する範囲外としては、画像撮像手段により画像を撮像する範囲の外側のことである。
また、画像撮像手段により画像を撮像する範囲外の所定の範囲としては、種々な範囲が用いられてもよく、例えば、画像撮像手段により画像を撮像する範囲の外側の一部の範囲が用いられる。また、当該一部の範囲としては、例えば、画像を撮像することは行われないが、監視対象者により携帯される携帯無線装置からの通報を受けるべきであるような範囲が用いられる。一例として、住宅の内部等の一部の範囲を画像撮像範囲として、当該住宅の内部等の全ての範囲を通報信号無線受信手段の通信可能領域に含めるような態様を用いることができる。
【００２５】
また、通報信号無線受信手段は、画像撮像手段により画像を撮像する範囲外の所定の範囲を通信可能領域に含むことにより、当該所定の範囲に存する携帯無線装置から無線により送信される通報信号を受信することが可能である。
また、通報信号無線受信手段の通信可能領域としては、種々な領域が用いられてもよく、例えば、画像撮像手段により画像を撮像する範囲の全部或いは一部を含んでもよく、或いは、含まなくてもよい。
【００２６】
また、携帯無線装置通報制御手段により通報を行う態様としては、種々な態様が用いられてもよく、例えば、通報信号無線受信手段により携帯無線装置から通報信号が受信された場合には常に通報を行うような態様が用いられてもよく、或いは、通報信号無線受信手段により携帯無線装置から受信された通報信号の内容に応じて必要な場合にのみ通報を行うような態様が用いられてもよい。
【００２７】
また、携帯無線装置通報制御手段により通報を行う通報先としては、種々なものが用いられてもよく、例えば、本発明に係る通報システムにおいて複数の通報先が存在するような場合には、全ての通報先に対して通報を行うような態様が用いられてもよく、或いは、特定の１又は２以上の通報先に対してのみ通報を行うような態様が用いられてもよく、また、通報の内容に応じて通報先を切り替えるような態様が用いられてもよい。
【００２８】
また、本発明に係る通報システム（以下で、説明の便宜上から、通報システムＢと言う）では、次のような構成により、複数の領域のそれぞれの監視対象を監視した結果に基づく通報を通報先に対して行う。
すなわち、それぞれの領域の監視対象側の者（監視対象者）により携帯される携帯無線装置が、通報を行うための通報信号を無線により送信する機能を有する。そして、それぞれの領域に対して設けられる通報信号無線受信手段が、携帯無線装置から無線により送信される通報信号を受信する。すると、携帯無線装置通報制御手段が、いずれかの領域に設けられた通報信号無線受信手段により携帯無線装置から受信された通報信号に基づいて、当該領域とは異なる領域の者を通報先として通報を行う。
【００２９】
従って、複数の領域のそれぞれの監視対象を監視するに際して、いずれかの領域の監視対象者により携帯される携帯無線装置から通報信号が無線送信されることにより、他の領域の者を通報先として通報が行われるため、例えば従来と比べて幅広い通報を行うことができ、これにより、例えば、異常の発生に対する対応を迅速化することが可能となる。
【００３０】
ここで、複数の領域としては、種々な領域が用いられてもよく、例えば、互いに近い領域が用いられるのが好ましく、この場合、近い場所に存する者たちが互いに協力して相互の監視を行うことができる。
また、複数の領域の数としては、種々な数が用いられてもよい。
また、それぞれの領域の監視対象者としては、それぞれ種々な者であってもよい。
【００３１】
また、携帯無線装置としては、例えば、それぞれの領域の監視対象者毎に備えられる。
また、通報信号無線受信手段としては、例えば、それぞれの領域毎に備えられるが、２以上の領域で共通の通報信号無線受信手段が共用されるような構成が用いられてもよい。
また、通報信号無線受信手段の通信可能領域としては、種々な領域が用いられてもよい。
【００３２】
また、いずれかの領域に設けられた通報信号無線受信手段により携帯無線装置から受信される通報信号に基づいて当該領域とは異なる領域の者を通報先とする場合における当該異なる領域としては、種々な領域が用いられてもよく、例えば、当該いずれかの領域以外の領域の全てが用いられてもよく、或いは、当該いずれかの領域以外の領域の一部のみが用いられてもよく、また、通報の内容に応じて通報先とする領域が切り替えられてもよい。
また、通報先とされる者としては、種々な者であってもよい。
また、通報を行う態様としては、種々な態様が用いられてもよい。
【００３３】
また、本発明に係る通報システム（通報システムＢ）では、一構成例として、複数の領域のそれぞれは、同一の集合住宅に存するそれぞれの住宅の全部又は一部の領域である。また、携帯無線装置通報制御手段は、いずれかの住宅に設けられた通報信号無線受信手段により携帯無線装置から受信された通報信号に基づいて、当該住宅とは異なる住宅の監視対象者により携帯される携帯無線装置を通報先として（つまり、当該携帯無線装置に対して）通報を行う。
【００３４】
従って、同一の集合住宅に存するそれぞれの住宅の監視対象を監視するに際して、いずれかの住宅の監視対象者により携帯される携帯無線装置から通報信号が無線送信されることにより、他の住宅の監視対象者により携帯される携帯無線装置を通報先として通報が行われるため、例えば、同一の集合住宅の中で監視対象者が互いに協力して相互に監視し合って、異常が発生した時に迅速な対応を行うことが可能である。
【００３５】
ここで、集合住宅としては、種々なものが用いられてもよく、例えば、複数の住宅が１つの建物に収められたようなものが用いられる。このような集合住宅では、通常、それぞれの住宅が近い場所に存在し、いずれかの監視対象者による通報があった場合には、他の監視対象者により迅速に対応することが可能である。
また、それぞれの住宅において監視を行う対象となる領域としては、例えば、それぞれの住宅の全部の領域であってもよく、或いは、一部の領域であってもよい。
【００３６】
また、本発明に係る通報システム（通報システムＢ）では、一構成例として、携帯無線装置通報制御手段は、集合住宅に存するそれぞれの住宅の間に設けられた有線のＬＡＮ（Ｌｏｃａｌ　Ａｒｅａ　Ｎｅｔｗｏｒｋ）を介して通報を行うための通信を行う。
ここで、有線のＬＡＮとしては、種々なものが用いられてもよい。
また、通報を行うための通信としては、種々な通信が用いられてもよい。
【００３７】
以下で、更に、本発明に係る通報システム（通報システムＡ、通報システムＢ）の構成例を示す。
本発明に係る通報システムでは、一構成例として、携帯無線装置処理制御手段が、通報信号無線受信手段により携帯無線装置から通報信号が受信されたことを契機として、所定の処理を開始或いは終了する。
【００３８】
従って、携帯無線装置から通報信号が無線送信されることを契機として、所定の処理を開始することや或いは所定の処理を終了することができる。
ここで、所定の処理としては、種々な処理が用いられてもよく、例えば、画像の撮像処理を開始することや、特別な監視処理を開始することや、平常時の監視処理を終了して異常発生時の監視処理を開始することなどができる。
【００３９】
また、本発明に係る通報システムでは、一構成例として、携帯無線装置と通報信号無線受信手段との間の無線通信は、無線のＬＡＮを用いて行われる。
ここで、無線のＬＡＮとしては、種々なものが用いられてもよい。
【００４０】
また、本発明に係る通報システムでは、一構成例として、携帯無線装置は、監視側を制御するための監視側制御信号を無線により送信する機能を有する。そして、監視側制御信号無線受信手段が、携帯無線装置から無線により送信される監視側制御信号を受信する。すると、携帯無線装置監視側制御手段が、監視側制御信号無線受信手段により携帯無線装置から受信される監視側制御信号に基づいて、監視側を制御する。
【００４１】
ここで、監視側の制御としては、種々な制御が用いられてもよく、例えば、監視側に備えられた所定のスイッチや機能のオン／オフの制御や、監視側により行われる所定の処理の制御などを用いることができる。
また、監視側制御信号としては、種々な信号が用いられてもよく、例えば、監視側を制御する内容に応じて異なる監視側制御信号が用いられてもよい。
【００４２】
また、本発明に係る通報システムでは、一構成例として、携帯無線装置は、当該携帯無線装置を携帯する監視対象者により操作される。そして、携帯無線装置は、通報信号を無線により送信するための所定の操作が行われたことに応じて、通報信号を無線により送信する。また、携帯無線装置は、監視側制御信号を無線により送信するための所定の操作が行われたことに応じて、監視側制御信号を無線により送信する。
【００４３】
ここで、携帯無線装置により通報信号を無線送信させるための所定の操作や、携帯無線装置により監視側制御信号を無線送信させるための所定の操作としては、それぞれ種々な操作が用いられてもよく、例えば、キーやボタンの１回の操作或いは２回以上の操作などを用いることができる。
【００４４】
なお、上記した通報システム（通報システムＡ）において、通報信号無線受信手段の通信可能領域を限定しない構成の一例を示しておく。
このような通報システム（以下で、説明の便宜上から、通報システムＣと言う）では、次のような構成により、監視対象を監視した結果に基づく通報を通報先に対して行う。
すなわち、携帯無線装置は、監視対象者により携帯されて、通報を行うための通報信号を無線により送信する機能を有する。そして、通報信号無線受信手段が、携帯無線装置から無線により送信される通報信号を受信する。すると、携帯無線装置通報制御手段が、通報信号無線受信手段により携帯無線装置から受信される通報信号に基づいて、通報先に対して通報を行う。
【００４５】
このような通報システム（通報システムＣ）では、例えば、センサなどに故障が生じたために又は異常検出を行う設定値の範囲外であるために種々のセンサを備えた検知システムが作動しないような場合においても、携帯無線装置から無線送信される通報信号に基づいて通報先に対して通報が行われるため、例えば幅広い通報を行うことができ、これにより、例えば、監視対象者の安全性を高めることなどができる。
【００４６】
なお、このような通報システム（通報システムＣ）では、通報信号無線受信手段の通信可能領域としては、種々な領域が用いられてもよく、例えば、画像撮像手段により画像を撮像する範囲内の領域のみが用いられてもよい。
【００４７】
【発明の実施の形態】
本発明に係る一実施例を図面を参照して説明する。
図１には、本発明の一実施例に係る監視通報システムを集合住宅１に適用した場合の一例を示してある。
本例の監視通報システムでは、集合住宅１に存する複数（本例では、４つ）の住戸（住宅）１１ａ〜１１ｄのそれぞれに、監視カメラ１２ａ〜１２ｄ及びカメラサーバ１３ａ〜１３ｄが備えられている。
【００４８】
また、本例の監視通報システムでは、それぞれの住戸１１ａ〜１１ｄにおいて、被監視側の者（被監視者）１５ａ〜１５ｄにより無線端末装置１４ａ〜１４ｄが携帯されている。
なお、本例では、それぞれの住戸１１ａ〜１１ｄの被監視者１５ａ〜１５ｄは、例えば、それぞれの住戸１１ａ〜１１ｄの住民である。
また、それぞれの被監視者１５ａ〜１５ｄにより携帯される無線端末装置１４ａ〜１４ｄとしては、例えば、同一のものが用いられている。
【００４９】
また、本例の監視通報システムでは、被監視者１５ａ〜１５ｄにより携帯される無線端末装置１４ａ〜１４ｄとカメラサーバ１３ａ〜１３ｄとの間で、無線のＬＡＮを用いて無線通信が行われる。そして、それぞれのカメラサーバ１３ａ〜１３ｄは、それぞれの監視カメラ１２ａ〜１２ｄにより画像を撮像する範囲ばかりでなく当該範囲外も無線により通信することが可能な領域に含んでいる。また、それぞれのカメラサーバ１３ａ〜１３ｄは、無線端末装置１４ａ〜１４ｄを有線のＬＡＮから成るネットワークヘ接続するアクセスポイント（ＡＰ）の機能を内蔵している。このように、本例のカメラサーバ１３ａ〜１３ｄは、例えば上記図５に示したような従来のカメラサーバ８３と比べて、機能が拡張されている。
【００５０】
また、本例の監視通報システムでは、それぞれの住戸１１ａ〜１１ｄに備えられたカメラサーバ１３ａ〜１３ｄを接続するためのハブ２１ａ、２１ｂ及びケーブル２２ａ〜２２ｄ、２３と、専用のルータ２４と、ハブ２１ｂと専用ルータ２４とを接続するケーブル２５と、専用ルータ２４と集合住宅１の外部のインターネット２とを接続するケーブル２６が備えられている。
【００５１】
なお、本例では、複数のカメラサーバ１３ａ〜１３ｄを接続するためのケーブル２２ａ〜２２ｄとしては、有線のＬＡＮのケーブルが用いられている。
そして、本例では、上記した処理部２１ａ、２１ｂ、２２ａ〜２２ｄ、２３〜２６により、集合住宅１の内部に有線のＬＡＮから成るネットワークが構築されている。
【００５２】
また、本例の監視通報システムでは、集合住宅１の外部には、インターネット２と、携帯サーバ３と、インターネット２と携帯サーバ３とを接続するケーブル２７と、キャリアゲートウエイ４と、携帯サーバ３とキャリアゲートウエイ４とを接続するケーブル２８が備えられている。
【００５３】
また、本例の監視通報システムでは、それぞれの住戸１１ａ〜１１ｄの被監視者１５ａ〜１５ｄを監視する側の者（監視者）により、監視側の携帯電話機（監視側携帯電話機）５が携帯されている。
なお、監視者としては、例えば、各被監視者１５ａ〜１５ｄ毎に１又は複数存在してもよく、或いは、２以上の被監視者１５ａ〜１５ｄに対して共通の監視者が存在してもよい。
また、本例では、監視者により携帯される監視側携帯電話機５としては、例えば、一般に使用されている携帯電話端末機が利用されている。
【００５４】
このように、本例の監視通報システムでは、集合住宅１において例えば無線ＬＡＮを用いて小規模ネットワークが構築されている。また、各住戸１１ａ〜１１ｄの間にハブ２１ａ〜２１ｂやＬＡＮケーブル２２ａ〜２２ｄが敷設されており、これらがカメラサーバ１３ａ〜１３ｄと接続されている。
【００５５】
そして、本例の監視通報システムでは、それぞれの被監視者１５ａ〜１５ｄが携帯する例えば専用の無線端末装置１４ａ〜１４ｄを操作してカメラサーバ１３ａ〜１３ｄに対してアクセスすることにより、任意なときにカメラサーバ１３ａ〜１３ｄを起動させることができ、任意なときにカメラサーバ１３ａ〜１３ｄにより通報や画像配信などを行わせることが可能である。
【００５６】
従って、本例の監視通報システムでは、それぞれの住戸１１ａ〜１１ｄにおいて、監視カメラ１２ａ〜１２ｄによる撮影範囲外からの無線端末装置１４ａ〜１４ｄによる通報が可能である。
また、本例の監視通報システムでは、例えば、或る被監視者１５ａが所有する無線端末装置１４ａからの通報があった場合に、集合住宅１内に構築されたネットワークを介して、同一の集合住宅１に住む他の被監視者１５ｂ〜１５ｄが所有する無線端末装置１４ｂ〜１４ｄに対して通報を行うことが可能である。
【００５７】
具体的には、本例の監視通報システムでは、それぞれの住戸１１ａ〜１１ｄにおいて、例えば監視カメラ１２ａ〜１２ｄが故障したときに緊急の異常事態が発生したときや、監視カメラ１２ａ〜１２ｄに備えられたセンサでは検出されない緊急の異常事態が発生したときや、或いは監視カメラ１２ａ〜１２ｄは正常に動作しているが監視カメラ１２ａ〜１２ｄの撮影範囲外において緊急の異常事態が発生したときなどには、被監視者１５ａ〜１５ｄは、携帯している無線端末装置１４ａ〜１４ｄを使用して、ＡＰ機能を内蔵したカメラサーバ１３ａ〜１３ｄを起動させる。
【００５８】
すると、カメラサーバ１３ａ〜１３ｄは、無線端末装置１４ａ〜１４ｄから無線送信された起動信号（通報信号）を受信したことに応じて、監視カメラ１２ａ〜１２ｄにより撮影される画像を保存する（録画する）状態へ移行し、また、内部のアプリケーションを起動して、各種のサービスを行う。また、カメラサーバ１３ａ〜１３ｄは、無線端末装置１４ａ〜１４ｄからの起動信号を受信したことに応じて、緊急事態が発生したことを通報するための情報をハブ２１ａ、２１ｂや専用ルータ２４などを介して通報先に対して送信する。このような通報は、例えばインターネット２や携帯サーバ３やキャリアゲートウエイ４などを介して監視者により携帯される監視側携帯電話機５に対して行われ、また、例えば病院や警察署や消防署などの所定の施設に対しても行われる。
【００５９】
また、カメラサーバ１３ａ〜１３ｄは、或る被監視者１５ａが所有する無線端末装置１４ａからの起動信号を受信したことに応じて、集合住宅１に構築されたネットワーク内の他の被監視者１５ｂ〜１５ｄが所有する無線端末装置１４ｂ〜１４ｄに対して通報を行う。これにより、例えば、火災時などの緊急時において、緊急事態が発生した者１５ａの近くに住む者１５ｂ〜１５ｄによる協力により迅速な対応を行うことができる。
【００６０】
次に、図２には、本例の監視通報システムにより行われる処理の手順の一例を示してある。
本例の監視通報システムでは、例えば監視カメラ１２ａ〜１２ｄにより撮影される画像に基づいて温度異常の検知や動体の検知などにより異常が発生したか否かを判定することを行い（ステップＳ１）、異常が発生して監視カメラ１２ａ〜１２ｄの検知システムが作動した場合には（ステップＳ２）、当該作動後に、カメラサーバ１３ａ〜１３ｄが起動する（ステップＳ４）。
【００６１】
また、異常が発生したが監視カメラ１２ａ〜１２ｄの検知システムが非作動であった（つまり、作動しなかった）ときや或いは監視カメラ１２ａ〜１２ｄによる撮影範囲外で異常が発生したときなどにおいて、無線ＬＡＮを用いた無線端末装置１４ａ〜１４ｄからカメラサーバ１３ａ〜１３ｄに対して起動信号が無線により送信された場合には（ステップＳ３）、カメラサーバ１３ａ〜１３ｄが起動する（ステップＳ４）。
【００６２】
カメラサーバ１３ａ〜１３ｄは、起動時には、画像保存を開始し、次に、内部アプリケーションを起動して、各種のサービスを行うための処理を実行する（ステップＳ４）。
このようなサービスの一例として、カメラサーバ１３ａ〜１３ｄは携帯サーバ３ヘ画像のデータを転送し（ステップＳ５）、これにより、携帯サーバ３が内部アプリケーションを起動して画像配信メール等を作成して（ステップＳ６）、当該携帯サーバ３が監視側携帯電話機５に対して画像配信メール等を送信する処理を開始して実行する（ステップＳ７）。
【００６３】
また、上記のようなサービスの他の一例として、カメラサーバ１３ａ〜１３ｄは、或る被監視者１５ａにより携帯される無線端末装置１４ａからの異常発生の通知（起動信号）があった場合には、例えば画像情報が添付されないメールによる連絡を用いて、集合住宅１に構築された同一のネットワーク内の他の被監視者１５ｂ〜１５ｄにより携帯される無線端末装置１４ｂ〜１４ｄに対して通報を行う（ステップＳ８）。
また、上記のようなサービスの他の一例として、カメラサーバ１３ａ〜１３ｄは、予め登録されている緊急時の連絡先である例えば病院や消防署等に対して通報を行う（ステップＳ９）。
【００６４】
次に、図３には、異常の発生時として火災が発生した時を例として、本例の監視通報システムを構成する各オブジェクト同士で行われるメッセージのやり取りの一連の流れの一例を示してある。
同図の例では、火災が発生したことを表す“火災”と、監視カメラ１２ａ〜１２ｄに相当する“監視カメラ”と、被監視者１５ａ〜１５ｄに相当する“被監視者”と、被監視者１５ａ〜１５ｄにより携帯される無線端末装置１４ａ〜１４ｄに相当する“無線端末装置”と、カメラサーバ１３ａ〜１３ｄに相当する“カメラサーバ”と、携帯サーバ３に相当する“携帯サーバ”と、監視者により携帯される監視側携帯電話機５に相当する“監視側携帯電話機”をオブジェクトとして示してある。
【００６５】
まず、火災が発生したという異常を検知した監視カメラ１２ａ〜１２ｄは録画を開始し、撮影された画像がカメラサーバ１３ａ〜１３ｄに蓄積される。そして、カメラサーバ１３ａ〜１３ｄは他の住民や消防署に対して通報を行うとともに携帯サーバ３に対して画像を転送し、携帯サーバ３は受信した画像を配信するための画像配信メール等を作成して監視側携帯電話機５に対して送信する。すると、通報先となる消防署の者や或いは監視側携帯電話機５を携帯する監視者により、火災に対して適切な対処がなされる。
【００６６】
また、例えば、監視カメラ１２ａ〜１２ｄの故障や監視範囲外で火災が発生したなどの理由から、火災が発生したという異常が検知されなかった場合には、被監視者１５ａ〜１５ｄが、監視カメラ１２ａ〜１２ｄが非作動であることを確認して、携帯している無線端末装置１４ａ〜１４ｄに設けられた所定のスイッチを押下する。すると、無線端末装置１４ａ〜１４ｄから起動信号が無線送信されて、カメラサーバ１３ａ〜１３ｄが起動する。
【００６７】
このようにして起動したカメラサーバ１３ａ〜１３ｄは監視カメラ１２ａ〜１２ｄを起動させて録画を開始させ、撮影された画像がカメラサーバ１３ａ〜１３ｄに蓄積される。そして、カメラサーバ１３ａ〜１３ｄは他の住民や消防署に対して通報を行うとともに携帯サーバ３に対して画像を転送し、携帯サーバ３は受信した画像を配信するための画像配信メール等を作成して監視側携帯電話機５に対して送信する。すると、通報先となる消防署の者や或いは監視側携帯電話機５を携帯する監視者により、火災に対して適切な対処がなされる。
【００６８】
なお、図４には、本例の監視通報システムの構成例を示してある。
本例の監視通報システムでは、監視カメラ３１とカメラサーバＴ１とが接続されている。カメラサーバＴ１は、アンテナ４６を有する被監視者側の携帯無線機（無線端末装置）３２との間で無線通信を行い、また、ハブ３３やルータ３４やケーブルＫ１、３５、３６を介して外部のインターネット５１との間で通信することにより、携帯サーバ５２やケーブル５５、５６を介してキャリアゲートウエイ５３のアンテナ６１から通報を行うための信号を無線により送信する。当該通報を行うための信号は、アンテナ６２を有する監視側の携帯電話機５４により受信される。
【００６９】
また、本例では、複数であるｎ個の監視カメラ（監視カメラ３１以外については図示を省略してある）及び複数であるｎ個のカメラサーバＴ１〜Ｔｎを備えており、これら複数のカメラサーバＴ１〜ＴｎがそれぞれケーブルＫ１〜Ｋｎを介してハブ３３に接続されている。なお、ハブ３３としては複数備えられてもよく、例えば上記図１に示した例では２つのハブ２１ａ、２１ｂが備えられている。
【００７０】
また、本例では、各カメラサーバＴ１〜Ｔｎの構成や動作は同様であり、ここでは、１つのカメラサーバＴ１を代表させてその構成例を示す。
カメラサーバＴ１には、アクセスポイント（ＡＰ）の機能部４１と、アンテナ４２と、記憶装置４３と、データベース（ＤＢ）４４と、処理部４５が備えられている。
【００７１】
アクセスポイント機能部４１は、アンテナ４２を用いて、被監視者側の携帯電話機３２との間で無線により通信を行う機能を有している。
記憶装置４３は、情報を記憶する機能を有しており、例えば、処理部４５が動作するために用いられるプログラムや各種の情報を記憶する。
データベース４４は、監視カメラ３１により撮影された画像の情報や検知システムにより検知された情報などの種々な情報を蓄積する。
【００７２】
処理部４５では、例えば、ＣＰＵ（Ｃｅｎｔｒａｌ　Ｐｒｏｃｅｓｓｉｎｇ　Ｕｎｉｔ）などのプロセッサが所定のプログラムを実行することにより、各種の処理を行う。
本例では、処理部４５は、主なアプリケーション処理として、監視カメラ３１から取得される画像情報の処理や、監視カメラ３１から取得される画像を蓄積する処理や、当該画像を管理する処理や、監視カメラ３１により撮影される画像を録画する操作を行う処理や、通報を行うためのメールを作成して当該メールをハブ３３やケーブルＫ１〜Ｋｎから成るネットワーク内へ送信する処理や、外部の携帯サーバ５２へ画像情報を転送する処理や、監視カメラ３１に対してパンやチルトやズームなどの遠隔操作を行う処理や、検知された情報等をデータベース４４により管理する処理などを行う。
【００７３】
以上のように、本例の監視通報システムでは、監視カメラ１２ａ〜１２ｄを用いて監視を行って緊急時に通報を行うシステムにおいて、例えば、監視カメラ１２ａ〜１２ｄの検知システムが故障であるために或いは検知範囲外の異常であるために当該検知システムが作動しないような状況においても、被監視者側１４ａ〜１４ｄから監視側（監視側携帯電話機５など）に対して通報を行うことが可能な構成とし、また、例えば、設置する監視カメラ１２ａ〜１２ｄの撮影範囲外においても、被監視者側１４ａ〜１４ｄから監視側（監視側携帯電話機５など）に対して通報を行うことが可能な構成とした。
【００７４】
また、本例の監視通報システムでは、例えば小規模集合住宅の宅内或いは他の住宅内などにおいて、小規模な無線ＬＡＮを構築し、無線ＬＡＮの端末（無線端末装置１４ａ〜１４ｄ）を用いて簡易に通報を行うことを可能とした。
また、本例の監視通報システムでは、例えば小規模集合住宅などにおいて、有線ＬＡＮを用いたネットワークを構築し、いずれかの住宅内で通報の要求が発生した場合に、他の住宅内の住民に対して通報を行うことを可能とした。
【００７５】
従って、本例の監視通報システムでは、例えば、特別な緊急時においても被監視者側１４ａ〜１４ｄからの緊急連絡などの通報や画像配信を行うことができ、具体的には、監視カメラ１２ａ〜１２ｄの検知システムが非作動である時などにおいても被監視者側１４ａ〜１４ｄから通報を行うことができ、また、監視カメラ１２ａ〜１２ｄの撮影範囲外の場所においても被監視者側１４ａ〜１４ｄから通報を行うことができる。
【００７６】
また、こうしたことから、本例の監視通報システムに備えられた被監視者１５ａ〜１５ｄの無線端末装置１４ａ〜１４ｄは、例えば、監視カメラ１２ａ〜１２ｄの検知システムが故障するなどの問題が発生した時において、監視カメラ１２ａ〜１２ｄに代わる予備のシステムとして利用することが可能である。
【００７７】
また、本例の監視通報システムでは、同一の集合住宅１に存する複数の住戸１１ａ〜１１ｄに監視カメラ１２ａ〜１２ｄ及びカメラサーバ１３ａ〜１３ｄ等の監視用装置を備える場合に、いずれかの住戸１１ａ〜１１ｄにおいて通報の要求があった場合には、当該同一の集合住宅１内の他の住民１５ａ〜１５ｄに対して連絡することが可能であるため、例えば、火災の発生時等の緊急時に迅速な連絡を行うことが可能であり、これにより、迅速な対処がなされることを実現することができる。
【００７８】
なお、本例では、本発明に係る通報システムが、監視及び通報を行う監視通報システムに適用されている。
また、本例では、監視対象として、複数の領域が用いられており、具体的には、同一の集合住宅１に存する複数の住戸１１ａ〜１１ｄの領域が用いられている。
また、本例では、監視対象者として、各住戸１１ａ〜１１ｄに住む住民１５ａ〜１５ｄが用いられている。
【００７９】
また、本例では、監視カメラ１２ａ〜１２ｄの機能により画像撮像手段が構成されており、無線端末装置１４ａ〜１４ｄの機能により監視対象側の者により携帯される携帯無線装置が構成されており、カメラサーバ１３ａ〜１３ｄが無線端末装置１４ａ〜１４ｄから無線送信される通報信号を受信する機能により通報信号無線受信手段が構成されており、カメラサーバ１３ａ〜１３ｄが無線端末装置１４ａ〜１４ｄからの通報信号に基づいて通報先に対して通報を行う機能により携帯無線装置通報制御手段が構成されている。
【００８０】
また、本例では、被監視者１４ａ〜１４ｄが通報を行うために無線端末装置１４ａ〜１４ｄを操作した場合に当該無線端末装置１４ａ〜１４ｄから無線により送信される信号により、通報信号が構成されている。
また、本例では、通報先として、監視者により携帯される携帯電話機５や、同一の集合住宅１に存する他の住民１５ａ〜１５ｄにより携帯される無線端末装置１４ａ〜１４ｄや、消防署などが用いられている。
【００８１】
また、本例では、カメラサーバ１３ａ〜１３ｄが無線端末装置１４ａ〜１４ｄからの通報信号の受信を契機として監視カメラ１２ａ〜１２ｄにより撮影される画像の録画などの所定の処理を開始するなどの機能により、携帯無線装置処理制御手段が構成されている。
【００８２】
また、本例では、無線端末装置１４ａ〜１４ｄから監視側を制御するための種々な信号（監視側制御信号）を無線により送信することも可能であり、この場合、例えば、カメラサーバ１３ａ〜１３ｄには、無線端末装置１４ａ〜１４ｄからの監視制御信号を受信する監視側制御信号無線受信手段の機能や、受信される監視側制御信号に基づいて監視側を制御する携帯無線装置監視側制御手段の機能が備えられる。
【００８３】
ここで、本発明に係る通報システムの構成や当該通報システムを構成する監視側や被監視側の構成としては、必ずしも以上に示したものに限られず、種々な構成が用いられてもよい。なお、本発明は、例えば本発明に係る処理を実行する方法或いは方式や、このような方法や方式を実現するためのプログラムなどとして提供することも可能である。
また、本発明の適用分野としては、必ずしも以上に示したものに限られず、本発明は、種々な分野に適用することが可能なものである。
【００８４】
また、本発明に係る通報システムなどにおいて行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００８５】
【発明の効果】
以上説明したように、本発明に係る通報システムによると、監視対象を監視するための画像を撮像し、監視対象を監視した結果に基づく通報を通報先に対して行うに際して、画像を撮像する範囲外の所定の範囲を通信可能領域に含んで携帯無線装置から無線により送信される通報信号を受信する機能を備えるとともに、通報を行うための通報信号を無線により送信する携帯無線装置を監視対象側の者により携帯させ、当該通報信号無線受信機能により当該携帯無線装置から受信された通報信号に基づいて通報先に対して通報を行うようにしたため、例えば従来と比べて幅広い通報を行うことができ、これにより、例えば、監視対象側の者の安全性を高めることなどができる。
【００８６】
また、本発明に係る通報システムによると、複数の領域のそれぞれの監視対象を監視した結果に基づく通報を通報先に対して行うに際して、携帯無線装置から無線により送信される通報信号を受信する機能をそれぞれの領域に備えるとともに、通報を行うための通報信号を無線により送信する携帯無線装置をそれぞれの領域の監視対象側の者により携帯させ、いずれかの領域に設けられた通報信号無線受信機能により携帯無線装置から受信された通報信号に基づいて当該領域とは異なる領域の者を通報先として通報を行うようにしたため、例えば従来と比べて幅広い通報を行うことができ、これにより、例えば、いずれかの領域の携帯無線装置から通報信号が無線送信されたことに対する対応を迅速化することが可能となる。
【図面の簡単な説明】
【図１】本発明の一実施例に係る監視通報システムを集合住宅に適用した場合の一例を示す図である。
【図２】本発明の一実施例に係る監視通報システムにより行われる処理の手順の一例を示す図である。
【図３】本発明の一実施例に係る監視通報システムにより行われる異常発生時におけるメッセージのやり取りの一例を示す図である。
【図４】本発明の一実施例に係る監視通報システムの構成例を示す図である。
【図５】従来例に係る監視通報システムの一例を示す図である。
【図６】従来例に係る監視通報システムにより行われる処理の手順の一例を示す図である。
【符号の説明】
１・・集合住宅、　２、５１・・インターネット、　３、５２・・携帯サーバ、
４、５３・・キャリアゲートウエイ、　５、５４・・監視側携帯電話機、
１１ａ〜１１ｄ・・住戸、　１２ａ〜１２ｄ、３１・・監視カメラ、
１３ａ〜１３ｄ、Ｔ１〜Ｔｎ・・カメラサーバ、
１４ａ〜１４ｄ、３２・・無線端末装置、
１５ａ〜１５ｄ・・被監視者、　２１ａ、２１ｂ、３３・・ハブ、
２２ａ〜２２ｄ、２３、２５〜２８、３５、３６、５５、５６、Ｋ１〜Ｋｎ・・ケーブル、
２４、３４・・ルータ、　４１・・アクセスポイント、
４２、４６、６１、６２・・アンテナ、　４３・・記憶装置、
４４・・データベース、　４５・・処理部、
【図１】
2004129007.tif 000003
【図２】
2004129007.tif 000004
【図３】
2004129007.tif 000005
【図４】
2004129007.tif 000006
【図５】
2004129007.tif 000007
【図６】
2004129007.tif 000008